(57)【要約】【解決手段】  本発明は、ミルラ樹脂を溶媒抽出する前に前処理し、前処理したミルラ樹脂をアルコール濃度が８０未満〜２５容量％の範囲のエチルアルコールと水の混合溶媒を用いて抽出してミルラ樹脂に含有するタール成分を除去したミルラ樹脂抽出成分を含有することを特徴とする成分液の製造方法に関する。【効果】  本発明の製造方法から製造される成分液は、脱臭性能を阻害するタール成分を除去しているため、脱臭液として用いた場合にはミルラ樹脂特有の臭いや生地への染みを発することなく、アンモニア臭や酢酸臭であるトイレ、靴、足、シーツ、カーテン、布団等の臭気や魚臭、煙草臭、生ゴミ臭、焼肉臭、室内臭、車内臭等の多様な混合臭気に対し優れた脱臭効果を奏する。  また、清涼飲料や化粧品として用いた場合にはミルラ樹脂特有の臭いがなく良好に飲用や使用することができる。【特許請求の範囲】
【請求項１】
ミルラ樹脂を溶媒抽出する前に前処理し、前処理したミルラ樹脂をアルコール濃度が８０未満〜２５容量％の範囲のエチルアルコールと水の混合溶媒を用いて抽出してミルラ樹脂に含有するタール成分を除去したミルラ樹脂抽出成分を含有することを特徴とする成分液の製造方法。
【請求項２】
成分液を減圧又は大気圧下で蒸留しタール成分をさらに除去することを特徴とする請求項１記載の成分液の製造方法。
【請求項３】
ミルラ樹脂に含有するタール成分の含有量の内、９８％以上のアルコール濃度を有するエチルアルコールで抽出した場合と対比して５０重量％以上のタール成分を除去することを特徴とする請求項１又は２に記載の成分液の製造方法。
【請求項４】
前処理がミルラ樹脂をエアーパージによりミルラ樹脂表面の付着物を除去することを特徴とする請求項１から３のいずれかに記載の成分液の製造方法。
【請求項５】
前処理がミルラ樹脂をエチルアルコール又はエチルアルコールと水の混合溶媒によりミルラ樹脂表面の付着物を洗浄除去することを特徴とする請求項１から４のいずれかに記載の成分液の製造方法。
【発明の詳細な説明】
【技術分野】
【０００１】  ミルラ樹脂を溶媒抽出する前に前処理し、前処理したミルラ樹脂をアルコール濃度が８０未満〜２５容量％の範囲のエチルアルコールと水の混合溶媒を用いて抽出してミルラ樹脂に含有するタール成分を除去したミルラ樹脂抽出成分を含有することからなる成分液の製造方法に関する。
【背景技術】
【０００２】  カンラン科の植物であるミルラ（没薬）を原料としこれを有機溶媒で抽出した抽出液を利用した用途特許が出願されている。例えば、オボボナックス樹脂、ミル樹脂、及びオリバナム樹脂の群から選択される１種以上の樹脂から得られる精油とイランイラン、ラベンダー、ラバンジンの群から選択される１種以上の樹脂から得られる精油と、シトラスベース、フローラルベース、ムスクベース及びウッディベースの香料の１種以上とを含有する香料組成物を吸着含浸させた含浸体を灰皿の内部に取り付けた灰皿が提案されている。（特許文献１参照）【０００３】  また、オボボナックス樹脂、ミル樹脂、及びオリバナム樹脂の群から選択される１種以上の樹脂から得られる精油とシトラスベース、フローラルベース、ムスクベース及びウッディベースの香料の１種以上とを含有する香料組成物を吸着含浸させた含浸体ヘルメットの内部に収納した作業用ヘルメットが提案されている。（特許文献２参照）【０００４】  また、ミルラ樹脂からエタノールで抽出して得たミルラ抽出液と水とを含有する液状消臭剤ならびに１０〜５０℃においてエタノールまたはエタノール濃度８０％以上のエタノール水溶液を用いてミルラ樹脂を抽出し、得られるミルラ抽出液と水及び添加成分を混合することにより液状消臭剤を製造する方法が提案されている。（特許文献３参照）【０００５】  しかしながら、本発明者の知見によると、単にミルラ樹脂の精油や抽出液をそのまま使用したりミルラ樹脂を単にエタノールで抽出した抽出液を水と混合した前記液状消臭剤は、臭気成分の脱臭性能が十分に発揮されず、また、ミルラ樹脂特有の臭いが発生し使用者に不快感を与えるという問題があった。【０００６】  また、さらにミルラ樹脂を単にエタノールで抽出した抽出液を水と混合した上記液状消臭剤は黄褐色の濁った液状色を有しているため、これが衣服やカーテン、布団、敷布などの染みになるという問題があった。【０００７】  そのためミルラ樹脂特有の臭いを発生することなく、また、衣服やカーテン、布団、敷布などの布地に染みを発生させず臭気成分を高性能で脱臭することが出来る脱臭液の提供が望まれていた。【０００８】  本発明者は、上記知見に基づき臭気成分の脱臭作用についてさらに鋭意研究した結果、ミルラ樹脂のエタノール抽出液から得られる脱臭液の脱臭性能を阻害する原因は、ミルラ樹脂の表部の付着物およびミルラ樹脂に含有するタール成分であること、また、さらに、ミルラ樹脂のタール成分を除去した抽出成分の濃度やアルコールの濃度が影響することを見出し本発明を完成するに至った。【０００９】
【特許文献１】  特開平７−９５８７１号公報
【特許文献２】  特開平７−３１０２１９号公報
【特許文献３】  特開２００４−１６０２１６号
【発明の開示】
【発明が解決しようとする課題】
【００１０】  本発明は、ミルラ樹脂を特定の条件で抽出してタール成分を除去し、ミルラ樹脂特有の臭いを発生させることなく、また、衣服やカーテン、布団、敷布などの生地に染みを発生させず臭気成分を高性能で脱臭することができる脱臭液、化粧品及び清涼飲料の製造や食品の発色液として供することができる成分液の製造方法を提供することを課題とする。
【課題を解決するための手段】
【００１１】  本発明の第１は、ミルラ樹脂を溶媒抽出する前に前処理し、前処理したミルラ樹脂をアルコール濃度が８０未満〜２５容量％の範囲のエチルアルコールと水の混合溶媒を用いて抽出してミルラ樹脂に含有するタール成分を除去したミルラ樹脂抽出成分を含有することを特徴とする成分液の製造方法に関する。【００１２】  第２は、成分液を減圧又は大気圧下で蒸留しタール成分をさらに除去することを特徴とする第１に記載の成分液の製造方法に関する。【００１３】  第３は、ミルラ樹脂に含有するタール成分の含有量の内、９８％以上のアルコール濃度を有するエチルアルコールで抽出した場合と対比して５０重量％以上のタール成分を除去することを特徴とする第１又は２に記載の成分液の製造方法に関する。【００１４】  第４は、前処理がミルラ樹脂をエアーパージによりミルラ樹脂表面の付着物を除去することを特徴とする第１から３のいずれかに記載の成分液の製造方法に関する。【００１５】  第５は、前処理がミルラ樹脂をエチルアルコール又はエチルアルコールと水の混合溶媒によりミルラ樹脂表面の付着物を洗浄除去することを特徴とする第１から４のいずれかに記載の成分液の製造方法に関する。
【発明の効果】
【００１６】  本発明の製造方法から製造される成分液は、脱臭性能を阻害するタール成分やミルラ原料の表面付着物が除去されているため、脱臭液として用いた場合にはトイレ等から発生するアンモニア臭、靴、足、シーツ、布団等から発生する汗臭の酢酸臭を極めて効率よく脱臭することができるという効果を有している。また、魚臭、煙草臭、生ゴミ臭、焼肉臭、室内臭、車内臭、台所や風呂の排水管臭等の多様な混合臭気に対しても優れた脱臭効果を有している。【００１７】  また、本発明の成分液の製造方法は、厚生省から食品添加物として認可されている天然素材物質のミルラ（没役）を原料としているため副作用がなく安全に使用することができる。【００１８】  また、本発明の製造方法から製造される成分液は、ミルラ特有の臭気や黄褐色の浮遊物発生原因となるタール成分が除去されているため、脱臭液として用いた場合にはミルラ樹脂特有の臭いを発生させることなく、また、衣服やカーテン、布団、敷布などの生地に染みを発生させず臭気成分を高性能で脱臭することができる。【００１９】  また、本発明の成分液の製造方法は、エチルアルコールの使用量を軽減できるので安価に製造でき経済的である。【００２０】  また、本発明の製造方法から製造される成分液は、ミルラ特有の臭気や黄褐色の浮遊物発生原因となるタール成分が除去されているため、清涼飲料として用いた場合にはミルラ樹脂特有の臭いがなく美味しく飲用することができる。【００２１】  また、本発明の製造方法から製造される成分液は、ミルラ特有の臭気や黄褐色の浮遊物発生原因となるタール成分が除去されているため、化粧品として用いた場合にはミルラ樹脂特有の臭いがなく使用することができる。さらに該成分液は、４．５〜６．５の範囲のＰＨ値を有しているので弱酸性領域で発色する食品等のの発色剤として使用できる。
【発明を実施するための最良の形態】
【００２２】  以下本発明について具体的に説明する。【００２３】  本発明は、ミルラ樹脂を溶媒抽出する前に前処理し、前処理したミルラ樹脂をアルコール濃度が８０未満〜２５容量％の範囲のエチルアルコールと水の混合溶媒を用いて抽出してミルラ樹脂に含有するタール成分を除去したミルラ樹脂抽出成分を含有する成分液の。製造方法に関する。【００２４】  本発明の成分液の製造方法に供するミルラ樹脂原料は、カンラン科植物の樹木から採取される樹脂であればよく、一般市販品を好適に使用できる。【００２５】  本発明者が、ミルラ樹脂のエチルアルコール抽出物から得られる成分液を用いた脱臭液の脱臭性能について鋭意研究した結果、ミルラ樹脂の表面の付着物が臭気の脱臭性能を阻害することが判った。したがって、脱臭性能を向上させるための成分液を得るためには、エチルアルコールと水の混合溶媒を用いてミルラ樹脂を抽出する前に、除去することが必要である。【００２６】  したがって、前処理はミルラ樹脂表面の付着物を除去することを意味するが、ミルラ樹脂の表面をエアーパージする方法によってミルラ樹脂表面の付着物を除去する方法が好ましく用いられる。【００２７】  またさらに、前処理は、ミルラ樹脂をエチルアルコール又はエチルアルコールと水の混合溶媒を用いてミルラ樹脂表面を洗浄することによってミルラ樹脂表面の付着物を除去する方法が好ましく用いられる。洗浄方法は付着物を除去できる方法であればよく、例えば浸漬やシャワー等により行うことができる。【００２８】  また、本発明者がミルラ樹脂のエチルアルコール抽出物から得られる成分液を用いた脱臭液の脱臭性能について鋭意研究した結果、ミルラ樹脂に含有されるタール成分が臭気の脱臭性能を阻害することが判った。また、このタール成分がミルラ特有の臭いの原因であることや衣服等の染みの原因であることも判った。【００２９】  また、ミルラ樹脂の品質にもよるがタール成分は、数重量％以上含有されていることが判った。したがって、ミルラ樹脂特有の臭いを発生することなくまた脱臭性能を向上させるための成分液を得るためには、成分液中のタール成分ができるだけ除去されていることが必要である。【００３０】  したがって、本発明の実施は、前処理したミルラ樹脂をアルコール濃度が８０未満〜２５容量％の範囲のエチルアルコールと水の混合溶媒を用いて抽出することにより、ミルラ樹脂に含有するタール成分を除去したミルラ樹脂抽出成分を含有する成分液を得ることができる。【００３１】  アルコール濃度が８０％を超えると得られる成分液は、タール成分の除去が十分でなく期待される脱臭性能が得られないので望ましくない。また、アルコール濃度が２５パーセント未満の場合には、タール成分は除去されるが成分液を用いて製造される脱臭液の脱臭性能が低下するので好ましくない。したがってエチルアルコールと水の混合溶媒のアルコール濃度は８０未満〜２５容量％の範囲である。好ましくは、６５〜３５容量％、さらに好ましくは６０〜４０容量％である。【００３２】  上述のようにしてタール成分が除去された成分液を得ることができるが、ミルラ樹脂に含有されるタール成分の含有量の内、９８％以上のアルコール濃度を有するエチルアルコールで��出した場合と対比して５０重量％以上を除去することが好ましい。【００３３】  また、上述のようにして得られる成分液を減圧又は大気圧下で蒸留し留出物を採取することにより、成分液中のタール成分がさらに除去された成分液を得ることができ、こようにして得られる成分液を用いた脱臭液は脱臭性能がさらに向上するので好ましい。【００３４】  また、本発明の成分液を用いて脱臭液を製造する場合は、例えば成分液を水及び又はエチルアルコールと混合しミルラ樹脂抽出成分の濃度を０．０２〜０．４０重量％の範囲に制御しかつエチルアルコール濃度が１から５０容量％の範囲に制御することにより製造される。【００３５】  上述のようにして得られる脱臭液は、ミルラ樹脂抽出成分の濃度が０．０２〜０．４０重量％の範囲外の場合では期待される脱臭性能が得られなくなる場合がある。したがって、脱臭液中のミルラ樹脂抽出成分の濃度は０．０２〜０．４０重量％の範囲に制御することが肝要である。好ましくは０．０６〜０．２０重量％の範囲であり、さらに好ましくは０．０６〜０．１５重量％の範囲である。【００３６】  また、本発明者が本発明の成分液を用いた脱臭液の性能について鋭意研究した結果、脱臭液中のエチルアルコール濃度が高くなるほど脱臭性能が低下する傾向が見出された。そこで、期待される脱臭性能を得るためには、エチルアルコール濃度は１〜５０容量％の範囲に制御することが肝要である。好ましくは１〜３０容量％の範囲であり、さらに好ましくは１〜２０容量％である。【００３７】  また、成分液を水及び又はエチルアルコールと混合する際、水とエチルアルコールを先に混合しアルコール濃度が制御された混合液に成分液を後から混合することが好ましい。成分液に水を先に混合した場合には浮遊物が発生することがあるので、水とエチルアルコールを先に混合した後に成分液を混合することが肝要である。【００３８】  このようにして得られた本発明の成分液を用いた脱臭液は、臭気発生元に対して噴霧又は散布等することにより、従来の消臭液や脱臭液に比べ高性能で臭気を脱臭することが出来る。また、多様な臭気の発生元である生ゴミ臭、魚臭、煙草臭、焼肉臭、室内臭、車内臭あるいはペット臭や靴臭や足臭の原因となる酢酸臭やアンモニア臭等の臭気を効率よく脱臭することができるという効果を有している。【００３９】  さらに、本発明の成分液は、タール成分が除去されているためミルラ特有の臭気や黄褐色の浮遊物を発生することがないので、本発明の成分液を用いた脱臭液は、ミルラ樹脂特有の臭いを気にすることなくまた、衣服やカーテン、布団、敷布などの生地への染みを心配することなく利用できるという効果を有している。【００４０】  またさらに、本発明の成分液の製造方法は、エチルアルコールの使用量を極めて軽減できるため安価に製造でき経済的である。【００４１】  また本発明の実施に供する原料は、厚生省から食品添加物として認可されている天然素材物質のミルラ（没薬）を原料としているため副作用がなく安全に使用することができる。さらに該成分液は、４．５〜６．５の範囲のＰＨ値を有しているので弱酸性領域で発色する食品等のの発色剤として使用できる。【００４２】  また、本発明で得られる成分液、は厚生省から食品添加物として認可されている天然素材物質のミルラ（没薬）を原料としているため清涼飲料や化粧品に用いても安全である。【００４３】  ところで、ミルラ樹脂をアルコールで抽出した抽出物は、一次スクリーニングによる抗アレルギー活性作用の確認が行われヒアルロン酸の分解を抑制する作用のあることが認められている。ヒアルロン酸は、人体内で生成されて各種臓器や皮膚、眼等に存在し体内で重要な働きを担っている。【００４４】  また、ヒアルロン酸は、体内で生成されるが加齢とともにその生成が減少し皮膚の老化や各種臓器の機能低下の原因にもつながることが知られている。したがって本発明の実施で得られる成分液を用いて清涼飲料として飲用した場合には体内のヒアルロン酸の分解が抑制されるという効果が期待される。また、化粧品として使用した場合には皮膚の老化を抑制するという効果が期待される。【００４５】実施例
以下実施例に基づいて本発明をさらに具体的に説明するが、本発明はこれらの実施例に限定されるものではない。
【実施例１】
【００４６】  ミルラ樹脂表面の付着物をエアーパージして除去したミルラ樹脂を５〜８ｍｍの粒子に粉砕し、エチルアルコールと水の混合溶媒各種を用いて抽出し、タール成分が除去されたミルラ樹脂抽出成分を含有する成分液を得た。各々の成分液に水を混合し各種脱臭液を試作した。試作した各種脱臭液中のミルラ樹脂抽出成分の濃度を０．０８重量％に調整し、この脱臭液を用いて臭気成分としてアンモニアと酢酸について脱臭性能（脱臭率）を測定した。また、脱臭性能（脱臭率）の測定は以下の方法で行った。【００４７】  容量１０００ｍｌの三角フラスコに適宜量の臭気成分を入れ、ガステック社製ガス検知管を用いて、ブランクとして気相中の臭気成分濃度Ｘを測定した。その後、脱臭液の５ｍｌを三角フラスコに入れ一定時間経過後、同様にして臭気成分濃度Ｙを測定した。そして、ブランク時の臭気成分濃度Ｘと脱臭液を入れた後の臭気成分濃度Ｙから脱臭性能（脱臭率）Ｕを次の式により算出した。
Ｕ＝Ｘ−Ｙ／Ｘ×１００
結果を表１に示す。【００４８】
【表１Ａ】
2006136687.tif 000002
【００４９】
【表１Ｂ】
2006136687.tif 000003
2006136687.tif 000004
【実施例２】
【００５０】    アルコール含有量が６０％のエチルアルコールと水の混合溶媒を用いてミルラ樹脂表面の付着物をシャワー洗浄して除去したミルラ樹脂を５〜８ｍｍの粒子に粉砕し、アルコール濃度が５０％容量のエチルアルコールと水の混合溶媒を用いて抽出し、タール成分が除去されたミルラ樹脂抽出成分を含有する成分液を得た。各々の成分液を用いて水又はエチルアルコールと混合しアルコール濃度が各々１．８容量％、１０容量％、２０容量％、３０容量％のＡ〜Ｄの各種脱臭液を試作した。試作した各種脱臭液中のミルラ樹脂抽出成分の濃度は０．０８重量％に調整した。試作した各種脱臭液を使用して各種混合臭気を発生する箇所への脱臭性能を実施した。【００５１】  実施例２−１
オキアミを使用して魚釣りをしたモニター５人に対して、試作脱臭液Ｃの脱臭性能を実施した。魚釣りをした後のモニター５人は、手を洗った後もオキアミの臭いや魚臭が手に残っていて不快感を持っていたが、脱臭液Ｃを手に噴霧した後は全くオキアミ臭や魚臭がしなくなったと回答した。【００５２】  実施例２−２
煙草を１０本吸った状態の８畳和室について、モニター５人が直後に入り煙草臭を全員が確認した後、試作脱臭液Ｂを用いて室内に１０回程度噴霧した。噴霧２分後にモニター５人が室内に入り煙草臭を確認した結果、４人は脱臭液を噴霧した後は全く煙草臭を感じないと回答した。残りの１人は煙草臭がほぼなくなっていると回答した。また室内のカーテンにも染みは発生しなかった。【００５３】  実施例２−３
自家用車を所有するモニター５人に対して、試作脱臭液Ｂを車内へ噴霧する前と後の車内臭について確認した結果、脱臭液を噴霧した後は５人全員が車内の煙草臭や車内特有の汗臭などの複合臭がほとんどしなくなったと回答した。【００５４】  実施例２−４
家庭内の台所で発生する生ゴミ臭に対して、試作脱臭液Ａを生ゴミへ直接噴霧する前と後の生ゴミ臭についてモニター５人に確認した結果、脱臭液を噴霧した後は５人全員が生ゴミのいやな腐敗臭がほとんど感じなくなったと回答した。【００５５】  実施例２−５
室内で家族４人が焼肉をした後モニター５人に対して、試作脱臭液Ａを室内へ噴霧する前と後の室内の焼肉臭について確認した結果、脱臭液を噴霧した後は５人全員が室内の焼肉臭がほとんどしなくなったと回答した。【００５６】  実施例２−６
家庭内のトイレで大便と小便をした後のトイレ室内に脱臭液Ｄを噴霧する前と後のトイレ臭についてモニター５人に確認した結果、脱臭液を噴霧した後は５人全員がトイレ室内のアンモニア臭や大便臭が全く感じなくなったと回答した。【００５７】  実施例２−７
野球選手のモニター５人に対して、練習に使用した野球靴に脱臭液Ｄを噴霧する前と後の野球靴臭について確認した結果、脱臭液を噴霧した後は４人は靴内の汗臭の基である酢酸臭がなくなったと回答した。残りの１人はあまり感じなくなった回答した。【００５８】  実施例２−８
寝たきりになった老人が使用しているシーツや布団に脱臭液Ｃを噴霧する前と後のシーツや布団臭の基となる汗臭などの体臭についてモニター５人に確認した結果、４人は臭いがなくなったと回答した。残りの１人はあまり感じなくなったと回答した。またシーツや布団には染みは発生しなかった。【００５９】  実施例２−９
家庭内の風呂場や台所の配管で発生する腐敗臭に対し、配管内へ脱臭液Ｄを流入する前と後の腐敗臭についてモニター５人に確認した結果、脱臭液を流入した後は５人全員が風呂場と台所の腐敗臭がほとんどしなくなったと回答した。
【実施例３及び比較例１】
【００６０】  実施例１で得られたアルコール濃度５０％のエチルアルコールと水の混合溶媒で抽出した成分液ａとミルラ樹脂表面の付着物を除去する第１工程を実施しないミルラ樹脂を用いてアルコール濃度９８％のエチルアルコールで抽出した成分液ｂについて減圧下で蒸留し、各々の残渣ａａとｂｂをタール成分として得た。その結果、ａａとｂｂの残渣について比較するとａａの残渣分はｂｂの残渣分に対し２０重量％であった。そして、ａの留出物について実施例１に準拠して脱臭液を試作し脱臭性能を測定した。また、ａの留出物はタール成分をほとんど含有していないため無色透明であった。
【００６１】  （結果）アンモニアの脱臭性能（脱臭率）は経過時間３０分後で９９．０％であった。また、酢酸の脱臭性能（脱臭率）は経過時間３０分後で９６．２％であった。
【００６２】  ｂｂの残渣を用いて同様にして脱臭液を試作し脱臭性能を測定した。試作した脱臭液中のアルコール濃度は２容量％、タール成分の濃度は０．０９重量％に調整した。その結果アンモニア及び酢酸の脱臭性能（脱臭率）は、経過時間３０分後においてほとんど脱臭性能を示さなかった。また試作した脱臭液は浮遊物が多く発生した褐色を示していた。
【比較例２】
【００６３】  ミルラ樹脂表面の付着物を除去する前処理を実施しないミルラ樹脂を用いてアルコール濃度９８％のエチルアルコールで抽出した成分液ｃと前処理を実施したミルラ樹脂を用いてアルコール濃度２０％のエチルアルコールと水の混合溶媒で抽出した成分液ｄを用いて各々の成分液に水を混合し各々の脱臭液ＥとＦを試作した。試作した脱臭液は、ミルラ樹脂抽出成分の濃度を０．０８重量％、アルコールの濃度を２．０に調整した。この脱臭液を用い実施例１と同様にして臭気成分としてのアンモニアと酢酸について脱臭性能（脱臭率）を測定した。結果を表２に示す。
【００６４】
【表２】
2006136687.tif 000005
【実施例４】
【００６５】  実施例１で得られた混合溶媒中のアルコール濃度が５０容量％で抽出した成分液を用いて清涼飲料水と化粧品水を試作した。試作した清涼飲料水と化粧水をモニター５人に対して飲用と使用を試みてもらった。その結果、清涼飲料水についてはモニター５人ともミルラ樹脂特有の臭いもなく美味しいと回答した。化粧水についてはモニター４人は、臭いもなく肌がしっとりと潤い使用感がよいと回答した。また１人は臭いはあまり感じなく肌もしっとりすると回答した。
【比較例３】
【００６６】  比較例２で得られた混合溶媒中のアルコール濃度が９８容量％で抽出した成分液を用いて清涼飲料水と化粧品水を試作した。試作した清涼飲料水と化粧水をモニター５人に対して飲用と使用を試みてもらった。その結果、清涼飲料水についてはモニター５人ともミルラ樹脂特有の臭いがし美味しいと思わないと回答した。化粧水についてはモニター５人とも肌がしっとりとするが使用するときに臭いがすると回答した。